(57)【特許請求の範囲】
【請求項１】
洗面化粧台の上部に、主鏡および左右の袖鏡からなる三面鏡を配置した化粧鏡ユニットにおいて、
前記化粧鏡ユニット本体の主鏡寄りの部分にはフレームが水平方向に回動角度に節度を持たせつつ回動可能に取り付けられ、このフレームの外側端には前記袖鏡が水平方向に回動自在に取り付けられ、前記フレームの内側端には、前記袖鏡を使用者に向かってせり出して使用する際に袖鏡の裏面で主鏡を傷つけないようにフレームが主鏡側に回動するのを阻止する回動阻止手段が設けられ、
前記左右の袖鏡を閉じた場合には袖鏡と主鏡とは同一面となり、前記化粧鏡ユニットから前記袖鏡を使用者に向かってせり出して使用する際には左右の袖鏡を主鏡の前方で合わせた状態で使用可能とすることを特徴とする化粧鏡ユニット。
【請求項２】
キャビネット本体の前面略中央部に設けられた主鏡と、この主鏡の左右に配設された袖鏡と、この袖鏡で覆われる収納部と、を備えた化粧鏡ユニットにおいて、
前記化粧鏡ユニット本体の主鏡寄りの部分にはフレームが水平方向に回動角度に節度を持たせつつ回動可能に取り付けられ、このフレームの外側端には前記袖鏡が水平方向に回動自在に取り付けられ、前記フレームの内側端には、前記袖鏡を使用者に向かってせり出して使用する際に袖鏡の裏面で主鏡を傷つけないようにフレームが主鏡側に回動するのを阻止する回動阻止手段が設けられ、
前記左右の袖鏡を閉じた場合には袖鏡と主鏡とは同一面となり、前記化粧鏡ユニットから前記袖鏡を使用者に向かってせり出して使用する際には左右の袖鏡を主鏡の前方で合わせた状態で使用可能とすることを特徴とする化粧鏡ユニット。
【請求項３】
請求項１または請求項２に記載の化粧鏡ユニットにおいて、前記回動阻止手段はストッパであることを特徴とする化粧鏡ユニット。
【発明の詳細な説明】
【０００１】
【発明の属する技術分野】
本発明は洗面化粧台の上部に配設される化粧鏡ユニットに関する。
【０００２】
【従来の技術】
洗面化粧台の上部に三面鏡を配設した化粧鏡ユニットが従来から広く知られており、このような化粧鏡ユニットを用いて、女性がアイラインなどの細かな部分の化粧をする場合、男性が髭を剃る場合、或いはコンタクトレンズの脱着などには、顔と鏡との距離を近づける必要がある。特に眼鏡使用者は洗顔時には眼鏡を外しているためなおさらである。
このような使用者が無理な姿勢を長時間持続しなければならない不利を解消するため、特許文献１、特許文献２及び特許文献３に開示されるものが知られている。
【０００３】
特許文献１にはキャビネット中央に正面鏡（主鏡）、両側に側面鏡（袖鏡）、キャビネット両側に側面鏡で覆われる収納室を設け、収納室前面を囲むようにヒンジ（蝶番）を介して補助枠を回動自在に取り付け、この補助枠に更にヒンジを介して前記側面鏡を回動自在に取り付け、収納室から化粧品などを取り出す際には補助枠ごと側面鏡を外側に向けて回動させ、三面鏡として使用する際には側面鏡のみを内側に向けて回動させる構造になっている。
【０００４】
特許文献２にも特許文献１に近似した構成が開示されており、この特許文献２では特許文献１の補助枠の代わりに板状の戸を用い、この戸の内側面に小物の収納部を設けている。
【０００５】
特許文献３には主鏡の両側に補助鏡を回動自在に設け、この補助鏡が蓋体となる収納棚を背面パネル（キャビネット）に設けた構成、更には補助鏡と背面パネル間にガイド片（アーム）を設け、補助鏡を使用者により近づけることを可能とした構成が開示されている。
【０００６】
また、主鏡がそのまませり出してきたのと同じ効果を発揮する先行技術として、特許文献４及び特許文献５が知られている。
特許文献４は化粧枠（キャビネット）に対し支持アームを回動自在に取り付け、この支持アームに副鏡を回動自在に取り付け、副鏡を使用者の真近まで持ってくることができるようにしている。
更に特許文献５にはパンタグラフ機構によって正面の鏡をそのまま使用者の真近まで近づけることができる内容が開示されている。
【０００７】
【特許文献】
特許文献１：実開昭５４−３６５４８号公報  図２及びその関連説明
特許文献２：実開昭６２−７９４４７号公報  図３及びその関連説明
特許文献３：実開平５−３７１５０号公報  (０００２)、(００１４)
特許文献４：特開昭５７−１２５７０５号公報  図３及びその関連説明
特許文献５：特開２０００−２５４０２１号公報  図１及びその関連説明
【０００８】
【発明が解決しようとする課題】
特許文献１〜３によれば、袖鏡を使用者に近づくように回動せしめることができる。しかしながら近づくと言っても側方から近づいてはくるが、主鏡の前面にはせり出してこないため、細かな化粧をしたり、髭を剃る場合などには首を廻した状態、或いは体全体を無理に廻した状態で作業しなければならない場合もあり、使い勝手が悪い。
【０００９】
また、特許文献４及び５にあっては、顔や体を廻すことなく鏡を近づけて化粧などをすることができるが、特許文献４に開示される内容では、支持アームが長いため使用者が正面を向いたまま鏡を近づけて使用しようとすると、使用者自ら横にずれなければならず、洗面ボ−ルが使用しにくくなる。
また引用文献５にあっては、確実に鏡をせり出させることができるが、パンタグラフ機構が裏側に存在するため裏側の空間を有効利用することができない。
【００１０】
【課題を解決するための手段】
上記課題を解決するため、本発明は、洗面化粧台の上部に、主鏡および左右の袖鏡からなる三面鏡を配置した化粧鏡ユニットにおいて、前記化粧鏡ユニット本体の主鏡寄りの部分にはフレームが水平方向に回動角度に節度を持たせつつ回動可能に取り付けられ、このフレームの外側端には前記袖鏡が水平方向に回動自在に取り付けられ、前記フレームの内側端には、前記袖鏡を使用者に向かってせり出して使用する際に袖鏡の裏面で主鏡を傷つけないようにフレームが主鏡側に回動するのを阻止する回動阻止手段が設けられ、前記左右の袖鏡を閉じた場合には袖鏡と主鏡とは同一面となり、前記化粧鏡ユニットから前記袖鏡を使用者に向かってせり出して使用する際には左右の袖鏡を主鏡の前方で合わせた状態で使用可能とする構成とした。
また本発明は、キャビネット本体の前面略中央部に設けられた主鏡と、この主鏡の左右に配設された袖鏡と、この袖鏡で覆われる収納部と、を備えた化粧鏡ユニットにおいて、前記化粧鏡ユニット本体の主鏡寄りの部分にはフレームが水平方向に回動角度に節度を持たせつつ回動可能に取り付けられ、このフレームの外側端には前記袖鏡が水平方向に回動自在に取り付けられ、前記フレームの内側端には、前記袖鏡を使用者に向かってせり出して使用する際に袖鏡の裏面で主鏡を傷つけないようにフレームが主鏡側に回動するのを阻止する回動阻止手段が設けられ、前記左右の袖鏡を閉じた場合には袖鏡と主鏡とは同一面となり、前記化粧鏡ユニットから前記袖鏡を使用者に向かってせり出して使用する際には左右の袖鏡を主鏡の前方で合わせた状態で使用可能とする構成とした。
上記構成とすることで、使用者の姿勢をそのままにして、袖鏡を使用者の正面の真近な位置にもってくることができる。
【００１１】
前記フレームの形状としては、縦メンバーと上下の横メンバーからなるコ字状が考えられる。この場合、縦メンバーを袖鏡の回動中心寄りの端部、換言すればフレームの回動中心から離れた端部に設けることが好ましい。縦メンバーを上記の位置に配置することで、袖鏡を開いて収納部から化粧品などを取り出す際に、開口する部分が広くなり使い勝手が向上する。また袖鏡を閉じた場合には縦メンバーが袖鏡外側の垂直部分に存在することになり、側面に隙間が存在しなくなり、更に洗面器からの湯気が収納部に入りにくくなる。
【００１２】
尚、フレームの形状についてはコ字状に限らず枠状あるいはコ字状フレームから縦メンバーを除いた２本のバーなどが考えられる。
【００１３】
また前記フレームをキャビネット本体に回動自在に取り付ける蝶番の回動軸は、平面視で閉じ状態の袖鏡と重なる位置かそれよりも前方に位置せしめることが好ましい。
上記構成とすることで、袖鏡を開いた場合に、袖鏡の主鏡側端面が主鏡端面と干渉することなく、また袖鏡を閉じた場合は袖鏡と主鏡とが同一面となる。また袖鏡と主鏡の間隔を短くできるので、鏡間の隙間が小さくできて見た目がよくなる。
【００１４】
また、前記フレームと前記袖鏡とを固定する袖鏡側蝶番の一方の台座を、前記フレームの裏側に固定するとともに、該袖鏡側蝶番の他方の台座を前記袖鏡の裏側に固定することも可能である。
上記構成とすることで、袖鏡を開いた場合でも、蝶番の台座が見えないため、見映えが良い。
【００１５】
また、前記フレームと前記袖鏡とを固定する袖鏡側蝶番の一方の台座を、前記フレームと一体に形成するとともに、前記フレームと前記化粧鏡ユニット本体とを固定する本体側蝶番の一方の台座を、前記フレームと一体に形成してもよい。
上記構成とすることで、部品点数が少なくて済むため、コストダウンと見映えの面で優れた構造となる。
【００１６】
また、袖鏡を主鏡の左右両側に設け、これら左右の袖鏡の主鏡寄りの端部に左右の袖鏡を連結するためのマグネット、面状ファスナーまたはフックなどの簡易連結部材を設けた構成としてもよい。
上記構成とすることで、両側の袖鏡を中央で簡便に面一に連結させることができ使い勝手が向上する。
【００１７】
また、前記袖鏡の裏面にフレームの厚みを利用した小物収納部を備えるようにしてもよい。フレームの厚みを厚くするとその分だけ剛性がアップするだけでなく収納部としても利用することができ、場合によっては、袖鏡の裏面を凹ませることなく物収納部を設けることができる。
【００１８】
【発明の実施の形態】
以下に本発明の実施の形態を添付図面に基づいて説明する。図１は本件発明の実施の形態である外観斜視図、図２は本件発明における実施の形態である化粧鏡ユニットの外観図、図３は本発明における実施の形態である蝶番の詳細図、図４は本発明における実施の形態で、化粧鏡の動きを示す図である。
【００１９】
化粧鏡ユニット１は，洗面台２の上側に配設させるようになっており、樹脂一体成形のキャビネット本体３を備えている。キャビネット本体３の内部には収納部が形成され、キャビネット本体３の前面に蝶番３５（図３参照）を介して主鏡１１が回動自在に取り付けられ、この主鏡１１の左右に袖鏡１０，１０が設けられ、キャビネット本体３の上端には照明６が配設されている。
【００２０】
ここで、袖鏡１０の幅寸法は主鏡１１の１／２〜２／３とする。袖鏡１０の幅寸法を主鏡１１の１／２とすると、左右の袖鏡１０、１０を合わせた状態（図５参照）で主鏡１１と同一寸法になり、主鏡１１がそのまま使用者に向ってせり出してきたのと同じで使い勝手よくなり、また袖鏡１０の幅寸法を主鏡１１の２／３とすると、合わせた状態で主鏡１１よりも大面積になり更に使いやすくなる。しかしながら、キャビネット本体３の幅寸法が決められている中で、あまり袖鏡１０の幅寸法を大きくすると、その分だけ主鏡１１の幅寸法を小さくしなければならないので１／２〜２／３とするのが好ましい。
【００２１】
キャビネット本体３の内部に形成された収納部４は、縦割り分割された左右の収納凹部７、７を備えており、中央の収納部は主鏡１１が開閉戸の役目をなし、左右の収納凹部７には、取り外し可能な棚トレイ８が複数段設けられている。
【００２２】
前記収納凹部７の前面には、フレーム９が配設されている。図２及び図３に示すように、フレーム９は縦メンバー９ａと上下の横メンバー９ｂ、９ｃからなるコ字状をなし、横メンバー９ｂ、９ｃの主鏡１１よりの端部が蝶番３１により軸３１ａを中心として水平方向に回動自在に支持され、また横メンバー９ｂ、９ｃの外側端間に縦メンバー９ａが設けられ、この縦メンバー９ａが設けられた横メンバー９ｂ、９ｃの外側端に蝶番３０により軸３０ａを中心として収納凹部７の開閉戸となる袖鏡１０が水平方向に回動自在に支持されている。
【００２３】
このように、縦メンバー９ａを袖鏡１０の回動中心寄りの端部、つまりフレーム９回動中心に縦メンバー９ａを持ってこないことで、袖鏡を開いて収納凹部７から化粧品などを取り出す際に、縦メンバー９ａが邪魔にならず、また袖鏡１０を閉じた場合には縦メンバー９ａが袖鏡１０キャビネット本体３との間の隙間を埋めることになって外観性が向上し、更に湯気の侵入も防げる。
【００２４】
また、袖鏡１０の裏面には小物収納部２０が設けられている。この小物収納部２０には、棚板２１が一体に取り付けられており、各棚板２１より若干上方位置には収納品落下防止バー２２が取り付けられている。
【００２５】
図示例では袖鏡１０の裏面を前方に向かって凹ませることで小物収納部２０とした例を示しているが、前記フレーム９の厚みを大きくし、この厚み分を利用して小物収納部を設けてもよい。この場合には袖鏡１０の裏面から後方に向かってフレーム９の厚み分の棚を突出させる構成が考えられる。
【００２６】
また前記したように、袖鏡１０はフレーム９の横メンバー９ｂ、９ｃの外側端に、蝶番３０により回動自在に固定され、該フレーム９のもう一方の端部（内側端）は蝶番３１によりキャビネット本体３に回動自在に支持される。
即ち、蝶番３１によってフレーム９は主鏡１１に寄った端部を中心として水平方向に回動する。
【００２７】
上記蝶番３０は台座３０１，３０２から構成され、蝶番３１は台座３１１，３１２から構成され、この実施例では台座３０１、３１２をフレーム９の裏側に止着することで目立たないようにしている。
【００２８】
また収納凹部７の前面、具体的には鉄製の台座３０２と対向する箇所に磁石７ａを設けることが考えられる。このような構成とすると、袖鏡１０のみを開けたい場合に、フレーム９までが一緒に動いてしまうことがなくなり、使い勝手が向上する。
【００２９】
ここで、蝶番３１の回動軸３１ａを平面視で閉じた状態の袖鏡１０と重なる位置か袖鏡１０の手前前方に位置させることにより、袖鏡１０の主鏡１１側の端面の回転軌跡が閉じた状態における袖鏡１０の主鏡側１１端面よりも主鏡１１側に出ることがない。従って袖鏡１０と主鏡１１との間に隙間や段差を設けることなく、袖鏡１０を配設することができる。これにより、見映えと使い勝手のよい化粧鏡の構造を得ることが可能である。
【００３０】
上記の構成からなる化粧鏡ユニットの袖鏡１０の動きを説明する。
まず、図４（ａ）に示す閉じた状態の収納部７から収納物を取り出すには、図４（ｂ）に示すように、蝶番３０の軸３０ａを回転軸として袖鏡１０を内開きに回動せしめる。このようにすることで、化粧鏡ユニット１の中央に立ったままでも容易に収納物を取り出すことが可能である。
【００３１】
次に合わせ鏡として使用する場合には、図４（ｃ）に示すように、前記蝶番３０とは反対側端部に取り付けられる蝶番３１の軸３１ａを回転軸として、フレーム９と一体的に袖鏡１０を手前側に回動せしめれば、合わせ鏡とすることができる。
【００３２】
図５は、左右の袖鏡を中央にて連接した別の使用態様を示す図である。袖鏡１０は、上下両端に化粧縁５０、５０が取り付けられ、該化粧縁５０の主鏡１１側端部にはマグネット５１とマグネット受座５２が埋め込まれた構造となっている。
左右の袖鏡１０、１０を開き、化粧鏡ユニットの前方中央部に位置させた状態で、それぞれの袖鏡１０、１０側端部を隣接させた際に、前記マグネット５１とマグネット受座５２が連結されることにより、両側の袖鏡を中央で簡便に面一に連結させることで使い勝手が向上する。
【００３３】
図６は、蝶番とフレームを一体に形成した状態を示す図であり、キャビネット本体３と袖鏡１０はそれぞれフレーム９の両端に一体成形されている蝶番３３、蝶番３４により回動自在に固定されている。
前記フレーム９の両端には、蝶番３３及び蝶番３４の台座部分が一体成形されているため、袖鏡１０を開いたときの見映えを向上させるとともに、部品点数を削減することでコストダウンが可能である。
【００３４】
図７はキャビネット本体３とフレーム９とを連結する蝶番３１の別実施例を示す図であり、この実施例にあっては蝶番３１をキャビネット本体側の部材３１１とフレーム側の部材３１２で構成し、部材３１１に対し軸３１ａを介して部材３１２が回動自在に支持されている。
そして、部材３１１には切欠６１が形成され、部材３１２にはストッパ片６２が固着されている。
而して、図７（ａ）に示す閉じ状態からフレーム９を軸３１ａを中心として開方向に回動せしめると、（ｂ）に示すようにストッパ片６２が切欠６１に当接し、それ以上の回動は阻止される。
【００３５】
このように、フレームの回動角度に節度をもたせることで、必要以上に袖鏡を主鏡側に移動することを抑制でき、袖鏡裏面で主鏡を傷つけたりしないようにしているため、使用者は安心して袖鏡を主鏡前方にせり出すことができる。
【００３７】
【発明の効果】
本発明によれば、フレームの回動角度に節度をもたせることで、必要以上に袖鏡を主鏡側に移動することを抑制でき、袖鏡裏面で主鏡を傷つけたりしないようにしているため、使用者は安心して袖鏡を主鏡前方にせり出すことができ、また袖鏡を前方へ開いた状態で化粧鏡ユニットの前方略中央部に位置せしめることができ、洗面化粧台の中央部で鏡を広く使用することができる。
【００３８】
また、使用者の姿勢をそのままにして袖鏡を使用者の顔に接近させることができるので、左右の小物収納部から化粧品などを取り出す場合にも、視線の高さを変えることなく、ほんの少しだけ視線をずらすだけで済むので、極めて使用しやすい。
【図面の簡単な説明】
【図１】本件発明の実施の形態である外観斜視図
【図２】本件発明における実施の形態である化粧鏡ユニットの外観図
【図３】本発明における実施の形態である蝶番の詳細図
【図４】（ａ）〜（ｃ）は本発明における実施の形態で、化粧鏡の動きを示す図
【図５】本発明における第２の実施形態である化粧鏡の詳細図
【図６】本発明における第３の実施形態である化粧鏡の詳細図
【図７】（ａ）および（ｂ）は蝶番の別実施例を示す図
【符号の説明】
１…化粧鏡ユニット、２…洗面台、３…キャビネット本体、４…収納部、６…照明、７…収納凹部、９…フレーム、１０…袖鏡、３０…蝶番、３０ａ…蝶番の軸、３１…蝶番、３１ａ…蝶番の軸、５０…化粧縁、５１…マグネット、５２…マグネット受座、６１…切欠、６２…ストッパ片。
【図１】
0003649721.tif 000002
【図３】
0003649721.tif 000003
【図５】
0003649721.tif 000004
【図６】
0003649721.tif 000005
【図７】
0003649721.tif 000006
【図２】
0003649721.tif 000007
【図４】
0003649721.tif 000008